(57)【要約】【課題】音質調整機能を作動させたときに入力された音声の波形歪みを抑制して音質の劣化を抑制することができる音質調整回路を提供する。【解決手段】入力された音声の音質を調整する音質調整機能を有し、入力された音声を所定のゲインで後段の音声出力アンプＩＣ１５ｂに出力する音質調整ＩＣ１５ａにおいて、所定のゲインを小さくするゲイン調整機能を更に有し、トーンコントロール部３１による音質調整機能が作動していないときには自動ゲイン調整部３０によるゲイン調整機能が無効とされる一方で、音質調整機能が作動しているときにはゲイン調整機能が有効とされる。【選択図】図５
2008301033.tif 000002
【特許請求の範囲】
【請求項１】
入力された音声の音質を調整する音質調整機能を有し、該入力された音声を所定のゲインで後段の音声アンプに出力する音質調整回路において、
上記所定のゲインを小さくするゲイン調整機能を更に有し、
上記音質調整機能が作動していないときには上記ゲイン調整機能が無効とされる一方で、上記音質調整機能が作動しているときには上記ゲイン調整機能が有効とされることを特徴とする音質調整回路。
【請求項２】
上記音声アンプの入力段で音声が歪まないように上記ゲイン調整機能を作動させることを特徴とする請求項１に記載の音質調整回路。
【請求項３】
上記ゲイン調整機能は、上記音質調整機能により上記入力された音声の音質が調整されるよりも前で上記所定のゲインを小さくすることを特徴とする請求項２に記載の音質調整回路。
【請求項４】
上記ゲイン調整機能は、上記入力された音声レベルが所定値を超えるまでは上記所定のゲインを維持することを特徴とする請求項１乃至３の何れかに記載の音質調整回路。
【請求項５】
上記ゲイン調整機能が有効とされるのは、上記入力された音声の所定の周波数帯域のゲインを上げるように上記音質調整機能が作動しているときであることを特徴とする請求項１乃至４の何れかに記載の音質調整回路。
【請求項６】
上記所定の周波数帯域は、音質調整が可能な周波数帯域の中で低音域および高音域の少なくとも一方であることを特徴とする請求項５に記載の音質調整回路。
【請求項７】
ユーザの操作に基づいて上記入力された音声の音質が調整されることを特徴とする請求項１乃至６の何れかに記載の音質調整回路。
【請求項８】
地上デジタル放送を受信可能な薄型テレビジョン装置に備えられたゲイン調整機能付音質調整ＩＣであり、
上記薄型テレビジョン装置が有するマイコンによって上記音質調整機能がユーザ操作に基づいて作動させられていないときには、上記ゲイン調整機能付音質調整ＩＣの可及的大きなダイナミックレンジが得られるように、該マイコンによって上記ゲイン調整機能が無効とされる一方で、
上記マイコンによって上記音質調整機能がユーザ操作に基づいて作動させられているときには、上記ゲイン調整機能付音質調整ＩＣのダイナミックレンジを超えないように、該マイコンによって上記ゲイン調整機能が有効とされることを特徴とする請求項７に記載の音質調整回路。 
【発明の詳細な説明】
【技術分野】
【０００１】
本発明は、音質調整回路に係り、特に、音質調整機能を作動させたときの入力された音声の波形歪み対策に関する。
【背景技術】
【０００２】
再生周波数帯域のうちで所定の周波数帯域の音声を増強或いは低減する機能を持つ所謂トーンコントロールや高音質な音声多重放送に対応した音場再現のためのサラウンド回路等の音質調整回路がよく知られている。例えば、図８（ａ）に示すように、音質調整回路１は、マイコン２からの制御信号に従って入力された音声の音質を調整し、入力された音声を所定のゲインで後段の音声アンプ３に出力する。そして、このような音質調整回路をより有効に活用する方法が種々提案されている。
【０００３】
例えば、特許文献１には、テレビジョン受像機内蔵のスピーカをドルビーデジタルのセンタースピーカとして使用したとき、低音増強回路およびサブウーファを有効利用可能とした音声再生回路が開示されている。
【０００４】
また、特許文献２には、テレビ音声再生装置において、音声明瞭さの向上を図ると共に、Ｌ／Ｒスピーカで低音域の増強を図り、効率の良い電力増幅を図ることが開示されている。
【０００５】
また、特許文献３には、疑似サラウンド回路をオンすることにより信号レベルが大きくなって回路のダイナミックレンジを超えて歪みを生じ不快感をもたらすといった不具合を解決するために、疑似サラウンド回路を強制的にオフできる機能を設けた音声信号処理装置が開示されている。
【特許文献１】特開平１０−１９１２０３号公報
【特許文献２】特開平１０−９４０９７号公報
【特許文献３】実開平０５−６００９８号公報
【発明の開示】
【発明が解決しようとする課題】
【０００６】
ところで、音声のダイナミックレンジやＳ／Ｎ比は大きい程よく、必要なダイナミックレンジやＳ／Ｎ比を確保しようとすれば音質調整回路はそれ相応のゲインで使用する必要がある。音質調整回路に高価な部品やＩＣを使用すれば相応のゲインが簡単に得られるが、コストやスペース的な制約上ＩＣや回路をできるだけローコストに構成しようとすればゲインにマージンが取れず音質調整回路はフルゲインで使用しなければならない。
【０００７】
図８（ｂ）に示すように、フルゲインで使用される音質調整回路１において、音質調整機能を作動させない標準（フラット）時、或いは所定の周波数帯域の音声を低減する場合は、入力された音声の波形が出力時に歪むことはなく問題は生じない。しかしながら、所定の周波数帯域例えば低高音域の音声を増強する場合は、その増強した周波数帯域にて音質調整回路１のダイナミックレンジを超えてしまい入力された音声の波形が出力時に歪んで問題が生じる可能性があった。つまり、音質調整回路１の出力波形が歪んで、音声アンプの入力段で音声が歪むと音質が劣化するという問題が生じる可能性があった。
【０００８】
本発明は上記課題に鑑みて為されたもので、その目的とするところは、音質調整機能を作動させたときに入力された音声の波形歪みを抑制して音質の劣化を抑制することができる音質調整回路を提供することにある。
【課題を解決するための手段】
【０００９】
上記目的を達成するための請求項１に記載の発明は、入力された音声の音質を調整する音質調整機能を有し、該入力された音声を所定のゲインで後段の音声アンプに出力する音質調整回路において、上記所定のゲインを小さくするゲイン調整機能を更に有し、上記音質調整機能が作動していないときには上記ゲイン調整機能が無効とされる一方で、上記音質調整機能が作動しているときには上記ゲイン調整機能が有効とされることにある。
【００１０】
上記のように構成された本発明の音質調整回路において、音質調整機能が作動していないときにはゲイン調整機能が無効とされる一方で、音質調整機能が作動しているときにはゲイン調整機能が有効とされて入力された音声レベルが大きくなるほど所定のゲインが小さくされることから、音質調整機能を作動させない標準状態のときは所定のゲインを確保することができると共に、音質調整機能を作動させたときは音質調整回路のダイナミックレンジを超えないようにすることできて入力された音声の波形歪みを抑制することができる。
【００１１】
また、請求項２に記載の発明は、請求項１に記載の音質調整回路において、上記音声アンプの入力段で音声が歪まないように上記ゲイン調整機能を作動させることにある。
【００１２】
上記のように構成された請求項１に記載の音質調整回路において、音質調整機能が作動しているときにはゲイン調整機能を作動させて音声アンプに入力される音声の波形歪みが抑制される。
【００１３】
また、請求項３に記載の発明は、請求項２に記載の音質調整回路において、上記ゲイン調整機能は、上記音質調整機能により上記入力された音声の音質が調整されるよりも前で上記所定のゲインを小さくすることにある。
【００１４】
上記のように構成された請求項２に記載の音質調整回路において、音質調整機能により入力された音声の音質が調整されるよりも前でゲイン調整機能により所定のゲインが小さくされることから、音質調整機能を作動させたときに入力された音声の波形歪みを適切に抑制することができる。
【００１５】
また、請求項４に記載の発明は、請求項１乃至３の何れかに記載の音質調整回路において、上記ゲイン調整機能は、上記入力された音声レベルが所定値を超えるまでは上記所定のゲインを維持することにある。
【００１６】
上記のように構成された請求項１乃至３の何れかに記載の音質調整回路において、入力された音声レベルが所定値を超えるまではゲイン調整機能により所定のゲインが維持されることから、入力された音声レベルが所定値以下であるときには音質調整機能を作動させないときと同様のゲインを確保することができると共に、入力された音声レベルが所定値を超えるときには入力された音声の波形歪みを適切に抑制することができる。
【００１７】
また、請求項５に記載の発明は、請求項１乃至４の何れかに記載の音質調整回路において、上記ゲイン調整機能が有効とされるのは、上記入力された音声の所定の周波数帯域のゲインを上げるように上記音質調整機能が作動しているときである。
【００１８】
上記のように構成された請求項１乃至４の何れかに記載の音質調整回路において、入力された音声の所定の周波数帯域のゲインを上げるように音質調整機能が作動しているときにゲイン調整機能が有効とされることから、音質調整回路のダイナミックレンジを超える可能性があるときに入力された音声の波形歪みを適切に抑制することができる。
【００１９】
また、請求項６に記載の発明は、請求項５に記載の音質調整回路において、上記所定の周波数帯域は、音質調整が可能な周波数帯域の中で低音域および高音域の少なくとも一方である。
【００２０】
上記のように構成された請求項５に記載の音質調整回路において、音質調整が可能な周波数帯域の中で低音域および高音域の少なくとも一方のゲインを上げるように音質調整機能が作動しているときにゲイン調整機能が有効とされる。
【００２１】
また、請求項７に記載の発明は、請求項１乃至６の何れかに記載の音質調整回路において、ユーザの操作に基づいて上記入力された音声の音質が調整されることにある。
【００２２】
上記のように構成された請求項１乃至６の何れかに記載の音質調整回路において、ユーザの操作に基づいて音質調整機能が作動しているときにゲイン調整機能が有効とされる。
【００２３】
また、請求項８に記載の発明は、請求項７に記載の音質調整回路において、地上デジタル放送を受信可能な薄型テレビジョン装置に備えられたゲイン調整機能付音質調整ＩＣであり、上記薄型テレビジョン装置が有するマイコンによって上記音質調整機能がユーザ操作に基づいて作動させられていないときには、上記ゲイン調整機能付音質調整ＩＣの可及的大きなダイナミックレンジが得られるように、該マイコンによって上記ゲイン調整機能が無効とされる一方で、上記マイコンによって上記音質調整機能がユーザ操作に基づいて作動させられているときには、上記ゲイン調整機能付音質調整ＩＣのダイナミックレンジを超えないように、該マイコンによって上記ゲイン調整機能が有効とされることにある。
【００２４】
上記のように構成された請求項７に記載の音質調整回路において、音質調整機能がユーザ操作に基づいて作動させられていないときには地上デジタル放送を受信可能な薄型テレビジョン装置が有するマイコンによってゲイン調整機能が無効とされてゲイン調整機能付音質調整ＩＣの可及的大きなダイナミックレンジが得られる一方で、マイコンによって音質調整機能がユーザ操作に基づいて作動させられているときにはそのマイコンによってゲイン調整機能が有効とされてゲイン調整機能付音質調整ＩＣのダイナミックレンジを超えないようにすることできて入力された音声の波形歪みを抑制することができる。
【発明の効果】
【００２５】
以上説明したように、請求項１に記載の発明によれば、音質調整機能を作動させない標準状態のときは所定のゲインを確保することができると共に、音質調整機能を作動させたときは音質調整回路のダイナミックレンジを超えないようにすることできて入力された音声の波形歪みを抑制することができるので、音質調整機能を作動させないときは最大限のダイナミックレンジを確保することができると共に、音質調整機能を作動させたときであっても音質の劣化を抑制することができる。見方を替えると、ローコストな音質調整回路であっても、標準状態における最大限のダイナミックレンジを確保しつつ、入力された音声の波形歪みを生じないように音質調整機能を作動させることができる。
【００２６】
また、請求項２に記載の発明によれば、音質調整機能が作動しているときにはゲイン調整機能を作動させて音声アンプに入力される音声の波形歪みが抑制されるので、音質調整機能を作動させたときに音質の劣化を適切に抑制することができる。
【００２７】
また、請求項３に記載の発明によれば、音質調整機能を作動させたときに入力された音声の波形歪みを適切に抑制することができるので、音質調整機能を作動させたときに音質の劣化を適切に抑制することができる。
【００２８】
また、請求項４に記載の発明によれば、入力された音声レベルが所定値以下であるときには音質調整機能を作動させないときと同様のゲインを確保することができると共に、入力された音声レベルが所定値を超えるときには入力された音声の波形歪みを適切に抑制することができるので、入力された音声レベルが所定値以下であるときには音質調整機能を作動させないときと同様の音声出力レベルを確保することができると共に、入力された音声レベルが所定値を超えるときには音質の劣化を適切に抑制することができる。
【００２９】
また、請求項５に記載の発明によれば、音質調整回路のダイナミックレンジを超える可能性があるときに入力された音声の波形歪みを適切に抑制することができるので、入力された音声の所定の周波数帯域のゲインを上げるように音質調整機能を作動させたときに音質の劣化を適切に抑制することができる。
【００３０】
また、請求項６に記載の発明によれば、音質調整が可能な周波数帯域の中で低音域および高音域の少なくとも一方のゲインを上げるように音質調整機能が作動しているときにゲイン調整機能が有効とされるので、音質調整機能のうちで比較的よく用いられる低音域および高音域におけるトーンコントロールにおいて音質調整回路のダイナミックレンジを超える可能性があるときには入力された音声の波形歪みを適切に抑制することができる。
【００３１】
また、請求項７に記載の発明によれば、ユーザの操作に基づいて音質調整機能が作動しているときにゲイン調整機能が有効とされるので、入力された音声の波形歪みを適切に抑制することができる。
【００３２】
また、請求項８に記載の発明によれば、音質調整機能が作動させられていないときにはゲイン調整機能付音質調整ＩＣの可及的大きなダイナミックレンジが得られる一方で、音質調整機能が作動させられているときには入力された音声の波形歪みを抑制することができるので、音質調整機能を作動させないときはゲイン調整機能付音質調整ＩＣの最大限のダイナミックレンジを確保することができると共に、音質調整機能を作動させたときであっても音質の劣化を抑制することができる。例えば、地上デジタル放送を受信可能な薄型テレビジョン装置においてドルビー規格に適合させる必要がある場合に、音質調整機能を作動させていない標準状態でダイナミックレンジの測定が行われるドルビー測定において、音声ダイナミックレンジを確保しつつ入力された音声の波形歪みを生じないように音質調整機能を作動させることができる。
【発明を実施するための最良の形態】
【００３３】
以下、下記の項目に従って本発明の実施形態を図面を参照しつつ説明する。
（１）液晶テレビジョン装置の概略構成
（２）音質調整回路の構成
（３）ゲイン調整機能を作動させる具体的な制御
（４）まとめ
【００３４】
（１）液晶テレビジョン装置の概略構成
以下、図１、２を参照して本発明が適用される地上デジタル放送を受信可能な液晶テレビジョン装置１０の概略構成を説明する。図１は液晶テレビジョン装置１０を示す斜視図であり、図２は液晶テレビジョン装置１０のブロック構成図である。尚、本実施形態では本発明が適用される装置として液晶テレビジョン装置を例示するが、この実施形態に限定されるものではなく、音声の音質を調整する音質調整回路を備えておれば本発明は適用され得る。また、液晶テレビジョン装置を例にして本発明を説明するが、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。
【００３５】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９とを備えている。
【００３６】
チューナ１１は、例えばアンテナ２０と接続されており、マイコン１８から入力される制御信号に従って、アンテナ２０で受信されるテレビジョン放送信号の中から１つのチャンネル（例えばユーザによって選局されたチャンネル）に対応するテレビジョン放送信号を取得してフロントエンド１２に出力する。
【００３７】
フロントエンド１２は、例えばマイコン１８から入力される制御信号に従って、チューナ１１から出力されたテレビジョン放送信号を中間周波信号に変換して、デコーダ１３に出力する。
【００３８】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００３９】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００４０】
音声出力部１５は、例えば音質調整回路１５ａや音声出力アンプＩＣ１５ｂやスピーカ１５ｃなどを有し、デコーダ１３から入力された音声信号に音質調整や電力増幅等の所定の処理を施して、その音声信号に基づく音声データに応じた音声をスピーカ１５ｃから出力する。
【００４１】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００４２】
リモコン受信部１７は、例えばリモコン２１から送信された各種赤外線信号（制御コマンド）を受信し、それら各種信号に基づく各種データをマイコン１８へ出力する。
【００４３】
リモコン２１は、例えばユーザによって操作され、その操作に応じた赤外線信号をリモコン受信部１７へ送信する。
【００４４】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて音声の音質調整、チャンネルの切換え、音量のアップ／ダウン等を制御する。
【００４５】
ＣＰＵ１８ａは、ＲＯＭ１８ｃに記憶された液晶テレビジョン装置１０用の各種処理プログラムに従って、各種の制御動作を行う。
【００４６】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００４７】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００４８】
電源回路１９は、例えば部分共振電源回路であり、商用ＡＣ電源を複数種類の所定の電圧に変換して液晶テレビジョン装置１０の各部へ動作電源電圧を出力する。
【００４９】
（２）音質調整回路の構成
以下、図３を参照して音質調整回路１５ａを詳細に説明する。図３は、音声出力部１５の構成の一例を示すブロック図である。図３において、音質調整回路１５ａは、自動ゲイン調整部（ＡＧＣ）３０とトーンコントロール部３１とを備えるゲイン調整機能付音質調整ＩＣ１５ａ（以下、音質調整ＩＣ１５ａという）であり、例えばマイコン１８から入力される制御信号に従ってデコーダ１３から入力された音声信号に基づく音声の音質を調整し、その音声を所定のゲインで後段の音声出力アンプＩＣ１５ｂに出力する。
【００５０】
トーンコントロール部３１は、入力された音声の音質を調整する音質調整機能を有しており、例えばリモコン２１操作等のユーザの操作に基づくマイコン１８からの制御信号に従って音質調整が可能な周波数帯域の中で所定の周波数帯域のゲインを上げたり下げたりする。この所定の周波数帯域は、例えば音質調整効果を得るためによく用いられる低音域および高音域である。
【００５１】
自動ゲイン調整部３０は、音質調整ＩＣ１５ａの所定のゲインを小さくするゲイン調整機能を有しており、例えばマイコン１８からの制御信号に従って、トーンコントロール部３１による音質調整機能が作動していないときにはこのゲイン調整機能が無効とされる一方で、トーンコントロール部３１による音質調整機能が作動しているときにはこのゲイン調整機能が有効とされる。
【００５２】
この自動ゲイン調整部３０は、トーンコントロール部３１による音質調整機能が作動しているときに所定の周波数帯域のゲインが上げられることで音質調整ＩＣ１５ａのダイナミックレンジを超えてしまい入力された音声の波形が出力時に歪んでしまうという問題を回避するために備えられている。一旦音声の波形が歪んでしまうと音声出力アンプＩＣ１５ｂでゲインを下げたとしてもその歪みは解消されず音声の劣化が生じる可能性があるため、音声出力アンプＩＣ１５ｂの入力段で音声が歪まないように自動ゲイン調整部３０によるゲイン調整機能を作動させる必要がある。
【００５３】
従って、トーンコントロール部３１による音質調整機能を作動させるよりも前で自動ゲイン調整部３０によるゲイン調整機能を作動させるのである。音質調整ＩＣ１５ａにおいては、そうなるようにトーンコントロール部３１よりも前段部に自動ゲイン調整部３０が設けられている。また、自動ゲイン調整部３０によるゲイン調整機能は、所定の周波数帯域のゲインを上げるようにトーンコントロール部３１による音質調整機能が作動させられるときに有効とされればよい。
【００５４】
また、音質調整ＩＣ１５ａのダイナミックレンジを超えなければよいので、ゲイン調整機能が有効とされていても、入力された音声レベルが小さければ音質調整ＩＣ１５ａの所定のゲインを一律に小さくする必要はない。つまり、自動ゲイン調整部３０によるゲイン調整機能は、上記入力された音声レベルが大きいときには小さいときに比べて音質調整ＩＣ１５ａの所定のゲインを小さくするようにしても良い。例えば、図４に示すように、入力された音声レベルが所定値を超えるまでは音質調整ＩＣ１５ａの所定のゲインを維持するようにしても良い。
【００５５】
（３）ゲイン調整機能を作動させる具体的な制御
以下に、本発明におけるゲイン調整機能を作動させる具体的な制御を説明する。
【００５６】
図５は、マイコン１８が有する、ゲイン調整機能を作動させるための制御作動を示したフローチャートであり、所定の周期で繰り返し実行されている。図５において、先ず、ステップＳ１０では、ユーザにより音質調整機能を有効とするように設定され且つ音質調整が可能な周波数帯域の中で少なくとも１つの周波数帯域のゲインを上げるように設定されたか否かが判断される。
【００５７】
ユーザー操作による音質設定の一例を以下に示す。例えば、リモコン２１にてメニューキー２１ａが押し下げ操作されると、図６（ａ）に示すようなメニュー画面が液晶テレビジョン装置１０の画面にＯＳＤ表示される。このメニュー画面において、カーソルが「音質設定」の位置にあるときにリモコン２１の決定キー２１ｂが押し下げ操作されると、図６（ｂ）に示すような音質設定入力画面がＯＳＤ表示される。ユーザは、この画面において音質調整機能を有効とするか無効とするかを設定し、音質調整が可能な周波数帯域の中で所望する周波数帯域のゲインを設定する。
【００５８】
図５に戻り、上記ステップＳ１０の判断が否定される場合はステップＳ２０において、自動ゲイン調整部３０によるゲイン調整（ＡＧＣ）機能が無効とされる。一方で、上記ステップＳ１０の判断が肯定される場合はステップＳ３０において、自動ゲイン調整部３０によるゲイン調整（ＡＧＣ）機能が有効とされる。
【００５９】
次いで、ステップＳ４０において、自動ゲイン調整部３０へ入力される音声の入力レベルが所定値を超えているか否かが判断される。
【００６０】
上記ステップＳ４０の判断が否定される場合はステップＳ５０において、音質調整ＩＣ１５ａの所定のゲインが維持させられる。一方で、上記ステップＳ４０の判断が肯定される場合はステップＳ６０において、音質調整ＩＣ１５ａの所定のゲインが小さくさせられる。これによって、図７に示すように音質調整ＩＣ１５ａの許容範囲をオーバーしない為、低高音を増幅した場合であっても標準時と同様に音声波形は歪まない。
【００６１】
このように、マイコン１８によってトーンコントロール部３１による音質調整機能がユーザ操作に基づいて作動させられていないときには、自動ゲイン調整部３０によるゲイン調整（ＡＧＣ）機能が無効とされ、音質調整ＩＣ１５ａの可及的大きなダイナミックレンジが得られる。一方で、マイコン１８によってトーンコントロール部３１による音質調整機能がユーザ操作に基づいて作動させられているときには、自動ゲイン調整部３０によるゲイン調整（ＡＧＣ）機能が有効とされ、音質調整ＩＣ１５ａのダイナミックレンジを超えないようにすることできて入力された音声の波形歪みを抑制することができる。
【００６２】
（４）まとめ
上述のように、本実施例によれば、トーンコントロール部３１による音質調整機能を作動させない標準状態のときは音質調整ＩＣ１５ａの所定のゲインを確保することができて音質調整ＩＣ１５ａの可及的大きなダイナミックレンジが得られると共に、トーンコントロール部３１による音質調整機能を作動させたときは音質調整ＩＣ１５ａのダイナミックレンジを超えないようにすることできて入力された音声の波形歪みを抑制することができるので、音質調整機能を作動させないときは最大限のダイナミックレンジを確保することができると共に、音質調整機能を作動させたときであっても音質の劣化を抑制することができる。見方を替えると、ローコストな音質調整ＩＣ１５ａであっても、標準状態における最大限のダイナミックレンジを確保しつつ、入力された音声の波形歪みを生じないように音質調整機能を作動させることができる。また、例えば地上デジタル放送を受信可能な液晶テレビジョン装置１０においてドルビー規格に適合させる必要がある場合に、音質調整機能を作動させていない標準状態でダイナミックレンジの測定が行われるドルビー測定において、音質調整ＩＣ１５ａの音声ダイナミックレンジを最大限確保しつつ入力された音声の波形歪みを生じないように音質調整機能を作動させることができる。
【００６３】
また、本実施例によれば、トーンコントロール部３１による音質調整機能が作動しているときには自動ゲイン調整部３０によるゲイン調整機能を作動させて音声出力アンプＩＣ１５ｂに入力される音声の波形歪みが抑制されるので、音質調整機能を作動させたときに音質の劣化を適切に抑制することができる。
【００６４】
また、本実施例によれば、トーンコントロール部３１による音質調整機能を作動させたときに入力された音声の波形歪みを適切に抑制することができるので、音質調整機能を作動させたときに音質の劣化を適切に抑制することができる。
【００６５】
また、本実施例によれば、入力された音声レベルが所定値以下であるときにはトーンコントロール部３１による音質調整機能を作動させないときと同様のゲインを確保することができると共に、入力された音声レベルが所定値を超えるときには入力された音声の波形歪みを適切に抑制することができるので、入力された音声レベルが所定値以下であるときには音質調整機能を作動させないときと同様の音声出力レベルを確保することができると共に、入力された音声レベルが所定値を超えるときには音質の劣化を適切に抑制することができる。
【００６６】
また、本実施例によれば、音質調整ＩＣ１５ａのダイナミックレンジを超える可能性があるときに、入力された音声の波形歪みを適切に抑制することができるので、入力された音声の所定の周波数帯域のゲインを上げるように音質調整機能を作動させたときに音質の劣化を適切に抑制することができる。
【００６７】
また、本実施例によれば、音質調整が可能な周波数帯域の中で低音域および高音域の少なくとも一方のゲインを上げるようにトーンコントロール部３１による音質調整機能が作動しているときに自動ゲイン調整部３０によるゲイン調整機能が有効とされるので、音質調整機能のうちで比較的よく用いられる低音域および高音域におけるトーンコントロールにおいて音質調整ＩＣ１５ａのダイナミックレンジを超える可能性があるときには入力された音声の波形歪みを適切に抑制することができる。
【００６８】
また、本実施例によれば、ユーザの操作に基づいてトーンコントロール部３１による音質調整機能が作動しているときに自動ゲイン調整部３０によるゲイン調整機能が有効とされるので、入力された音声の波形歪みを適切に抑制することができる。
【００６９】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００７０】
【図１】本発明が適用される液晶テレビジョン装置の一例を示す斜視図である。
【図２】液晶テレビジョン装置のブロック構成図である。
【図３】音声出力部の構成の一例を示すブロック図である。
【図４】自動ゲイン調整部によるゲイン調整機能無効時と有効時とのそれぞれの音声入力レベル−音声出力レベル特性の一例である。
【図５】マイコンが有する、ゲイン調整機能を作動させるための制御作動を示したフローチャートである。
【図６】液晶テレビジョン装置にＯＳＤ表示される画面であって、（ａ）はユーザーが各種設定をするためのメニュー画面の一例であり、（ｂ）はユーザーが音質設定をするための音質設定入力画面の一例である。
【図７】ゲイン調整機能付音質調整ＩＣにおいて、標準時と低高音を増幅した場合とのそれぞれの音声波形を示した図である。
【図８】（ａ）は従来の音声出力部の構成の一例を示すブロック図であり、（ｂ）は従来の音声出力部の構成において、標準時と低高音を増幅した場合とのそれぞれの音声波形を示した図である。
【符号の説明】
【００７１】
１０：液晶テレビジョン装置（薄型テレビジョン装置）
１５ａ：音質調整回路、ゲイン調整機能付音質調整ＩＣ
１５ｂ：音声出力アンプＩＣ（音声アンプ）
３０：自動ゲイン調整部
３１：トーンコントロール部 
【図１】
2008301033.tif 000003
【図２】
2008301033.tif 000004
【図３】
2008301033.tif 000005
【図４】
2008301033.tif 000006
【図５】
2008301033.tif 000007
【図６】
2008301033.tif 000008
【図７】
2008301033.tif 000009
【図８】
2008301033.tif 000010